(57)【要約】【課題】シンプルな構造で工事現場などに容易に持ち運びできるゴミ圧縮機を提供する。【解決手段】ゴミ圧縮機１０は、本体２０と移動体４０とから構成されるシンプルな構造のものであり、工事現場またはその周辺に容易に持ち運び込めることができる。本体２０は、床面に接触するコ字状の底辺部２２と、この底辺部２２の両翼の長手方向中央部それぞれから立ち上がった脚部２４と、２本の脚部２４の上端をつないで固定する水平部２６とを有しており、脚部２４と水平部２６が接続された接続部分の内側は、両者の固定を補強するための補強部材２８が配置されている。移動体４０は、矩形状の台座４２と、この台座４２に矢印Ａ，Ｂ方向に回転自在に固定された回転テーブル４４を有する。【選択図】図１
2011140029.tif 000002
【特許請求の範囲】
【請求項１】
シート状部材が押し込まれて収納される、上部に開口を有すると共に他の部分が閉じられたシート状部材収納袋と、
該シート状部材収納袋に押し込まれて収納されたシート状部材の上に載せられて該シート状部材と共に押し下げられる、前記シート状部材収納袋の内側に配置される板状部材と、
前記開口を上にして立てた状態で空の前記シート状部材収納袋を固定するための固定枠、及び前記シート状部材収納袋が載置されてその底部が接触するテーブルを有する、移動する移動体と、
前記シート状部材の上に載せられた前記板状部材を前記シート状部材と共に押し下げる押下棒と、
この押下棒を上下動させるシリンダが固定された、前記押下棒の先端が前記開口の中央に位置するように前記移動体が装着される本体とを備えたことを特徴とするゴミ圧縮機。
【請求項２】
前記移動体の前記固定枠は環状のものであり、その環状の複数箇所に前記シート状部材収納袋の前記開口の縁部を固定する固定具が配置されているものであることを特徴とする請求項１に記載のゴミ圧縮機。
【請求項３】
前記押下棒は、その先端部が自在に回転するものであることを特徴とする請求項１または２に記載のゴミ圧縮機。
【請求項４】
前記テーブルは、載置されたシート状部材と共に回転する回転テーブルであることを特徴とする請求項１、２、または３に記載のゴミ圧縮機。
【請求項５】
前記板状部材に前記押下棒で荷重をかけながら前記シート状部材収納袋を回転させる際に、前記板状部材が前記シート状部材によって押し上げられないように仮止めしておく仮止め用ローラを備えたことを特徴とする請求項１から４までのうちのいずれか一項に記載のゴミ圧縮機。
【発明の詳細な説明】
【技術分野】
【０００１】
本発明は、シート状のゴミを圧縮して袋に収納するためのゴミ圧縮機に関する。
【背景技術】
【０００２】
アスベストを含んだ（または、アスベストで構成した）天井や壁を取り壊す際には、その周囲に飛散したアスベストを回収して廃棄するために、周辺の壁や床などをポリエチレン製のシート（厚さ約０．１ｍｍ以上であり、本発明にいうシート状部材の一例である。）で覆う。アスベストを含んだ（または、アスベストで構成した）天井や壁を取り壊した後は、これらポリエチレン製のシートにアスベストが付着しているので、これらのシートを袋に押し込んで圧縮して収納して廃棄する。
【０００３】
ところが、ポリエチレン製のシートは、容易に手で圧縮できるが、圧縮力を弱めた途端、その反発力で膨れ上がる。従って、ポリエチレン製のシートを袋に手で押し込んで圧縮して収納しても圧縮したままの状態を保っておくことは困難である。
【０００４】
そこで、従来から知られたゴミ圧縮機（例えば、特許文献１参照。）を利用することが考えられる。
【先行技術文献】
【特許文献】
【０００５】
【特許文献１】特開２００８−７３７２７号公報
【発明の概要】
【発明が解決しようとする課題】
【０００６】
しかし、上記した従来のゴミ圧縮機は大型の装置であり、工事現場に容易に持ち運べない。また、構造が複雑である。
【０００７】
本発明は、上記事情に鑑み、シンプルな構造で工事現場に容易に持ち運べるゴミ圧縮機を提供することを目的とする。
【課題を解決するための手段】
【０００８】
上記目的を達成するための本発明のゴミ圧縮機は、
（１）シート状部材が押し込まれて収納される、上部に開口を有すると共に他の部分が閉じられたシート状部材収納袋と、
（２）該シート状部材収納袋に押し込まれて収納されたシート状部材の上に載せられて該シート状部材と共に押し下げられる、前記シート状部材収納袋の内側に配置される板状部材と、
（３）前記開口を上にして立てた状態で空の前記シート状部材収納袋を固定するための固定枠、及び前記シート状部材収納袋が載置されてその底部が接触するテーブルを有する、移動する移動体と、
（４）前記シート状部材の上に載せられた前記板状部材を前記シート状部材と共に押し下げる押下棒と、
（５）この押下棒を上下動させるシリンダが固定された、前記押下棒の先端が前記開口の中央に位置するように前記移動体が装着される本体とを備えたことを特徴とするものである。
【０００９】
ここで、
（６）前記移動体の前記固定枠は環状のものであり、その均等に離れた複数箇所に前記シート状部材収納袋の前記開口の縁部を固定する固定具が配置されているものであってもよい。
【００１０】
また、
（７）前記押下棒は、その先端部が自在に回転するものであってもよい。
【００１１】
さらに、
（８）前記テーブルは、載置されたシート状部材と共に回転する回転テーブルであってもよい。
【００１２】
さらにまた、
（９）前記板状部材に前記押下棒で荷重をかけながら前記シート状部材収納袋を回転させる際に、前記板状部材が前記シート状部材によって押し上げられないように仮止めしておく仮止め用ローラを備えてもよい。
【発明の効果】
【００１３】
本発明によれば、移動体に固定したシート状部材収納袋にシート状部材を押し込んで収納しておき、このシート状部材の上に板状部材を載せ、本体の押下棒で板状部材をシート状部材と共に押し下げる。この押し下げた状態で、シート状部材収納袋の開口を紐などで閉じる。従って、主に移動体と本体で構成されるので、シンプルな構造で工事現場に容易に持ち運べるゴミ圧縮機を提供することができる。
【図面の簡単な説明】
【００１４】
【図１】ゴミ圧縮機の本体に移動体が装着された状態を示す斜視図である。
【図２】ゴミ圧縮機の本体に移動体が装着されつつある状態を示す斜視図である。
【図３】ゴミ圧縮機の本体を示す斜視図である。
【図４】ゴミ圧縮機の移動体を示す斜視図である。
【図５】シート状部材収納袋にシート状部材を圧縮せずに収納した状態を示す斜視図である。
【図６】押下げ棒で板状部材と共にシート状部材を押下げている途中の状態を示す斜視図である。
【図７】押下げ棒で板状部材と共にシート状部材を押下げきった状態を示す斜視図である。
【図８】押下棒でシート状部材と共に押下げきった板状部材を仮止めローラで仮止めしている状態を示す斜視図である。
【発明を実施するための形態】
【００１５】
本発明は、厚さ約０．１ｍｍ以上のポリエチレン製のシート（本発明にいうシート状部材の一例である。）を幾重にも折り畳んでビニール製の袋に押し込んで圧縮して収納するゴミ圧縮機に実現された。
【実施例１】
【００１６】
図１から図４までを参照して、本発明のゴミ圧縮機の実施例を説明する。図１は、ゴミ圧縮機１０の本体２０に移動体４０が装着された状態を示す斜視図である。図２は、ゴミ圧縮機１０の本体２０に移動体４０が装着されつつある状態を示す斜視図である。図３は、ゴミ圧縮機１０の本体２０を示す斜視図である。図４は、ゴミ圧縮機１０の移動体２０を示す斜視図である。
【００１７】
ゴミ圧縮機１０は、図１や図２に示すように、本体２０と移動体４０とから構成されるシンプルな構造のものであり、工事現場またはその周辺に容易に持ち運び込めることができる。
【００１８】
本体２０は、床面に接触するコ字状の底辺部２２と、この底辺部２２の両翼の長手方向中央部それぞれから立ち上がった脚部２４と、２本の脚部２４の上端をつないで固定する水平部２６とを有しており、脚部２４と水平部２６が接続された接続部分の内側は、両者の固定を補強するための補強部材２８が配置されている。
【００１９】
２本の脚部２４のうちの一方の脚部２４の外側面には、後述する押下棒３６を上下動させる操作のためのレバー３０が固定されている。また、２本の脚部２４それぞれの内側面には、後述する仮止めローラ３２が回動自在に固定されている。さらに、水平部２６の長手方中央部にはエアーシリンダ３４が立てて固定されており、このエアーシリンダ３４によって押下棒３６が上下動させられる。エアーシリンダ３４は、外部のコンプレッサー（図示せず）に接続されている。
【００２０】
移動体４０は、図４に示すように、矩形状の台座４２と、この台座４２に矢印Ａ，Ｂ方向に回転自在に固定された回転テーブル４４を有する。移動体４０は、図１や図２に示すように、本体２０のコ字に囲まれた空間Ｘに着脱される。回転テーブル４４の上方には、環状の枠４６が、複数本の支持棒４８を介して回転テーブル４４に固定されている。
【００２１】
台座４２からは複数本の脚部５０が立ち上がっており、これら複数本の脚部５０の上端には環状の固定枠５２が固定されている。固定枠５２には、その環状の均等に離れた複数箇所にシート状部材収納袋の開口の縁部を固定する固定具５４が配置されている。なお、環状の枠４６の内径が約４６０ｍｍであるのに対し、固定枠５２の内径は約３９６ｍｍであり、固定枠５２は枠４６よりも小さい円形である。
【００２２】
また、後述するように、ゴミ圧縮機１０には、シート状部材収納袋に押し込まれて収納されたシート状部材の上に載せられてこのシート状部材と共に押し下げられる板状部材１００が備えられている。板状部材１００は木製であり、シート状部材収納袋の内側に配置される。
【００２３】
図５から図８までを参照して、シート状部材収納袋にシート状部材を圧縮して収納する手順を説明する。図５は、シート状部材収納袋にシート状部材を圧縮せずに収納した状態を示す斜視図である。図６は、押下げ棒で板状部材と共にシート状部材を押下げている途中の状態を示す斜視図である。図７は、押下げ棒で板状部材と共にシート状部材を押下げきった状態を示す斜視図である。図８は、押下棒でシート状部材と共に押下げきった板状部材を仮止めローラで仮止めしている状態を示す斜視図である。
【００２４】
シート状部材収納袋にシート状部材を圧縮して収納するに際しては、先ず、シート状部材収納袋６０の開口を上にして立てた状態で空のシート状部材収納袋６０の開口の縁部６０ａを固定具５４で固定する。固定具５４としてはレバーファスナーなどを使用する。続いて、図５に示すように、シート状部材収納袋６０の開口から丸めたシート状部材６２を手で押し込む。その後、シート状部材収納袋６０に押し込まれて収納されたシート状部材６２の上に板状部材１００を載せ、図７に示すように、レバー３０を操作してエアーシリンダ３４を駆動させて押下棒３６で、シート状部材６２と共に板状部材１００を押下げてシート状部材６２を圧縮する。この状態で、押下棒３６を上げた場合は、圧縮力が無くなるので、シート状部材６２の反発力（可撓性）によってシート状部材６２は、図５に示す状態に戻ろうとする。そこで、押下棒３６を上げる前に（上げるに先立って）仮止めローラ３２を、図８の破線の位置（図７の実線で示す位置）から実線の位置に旋回させて、板状部材１００がシート状部材６２によって押し上げられないように仮止めしておく。
【００２５】
上記の仮止め状態を保ったまま、レバー３０を操作してエアーシリンダ３４を駆動させて押下棒３６を上げる。続いて、固定具５４を解除してシート状部材収納袋６０の開口付近を、図８に示すように紐８０で縛って閉じる。この場合、回転テーブル４４と共に押下棒３６の先端部を回転させながら紐８０を縛ると作業を効率良く行える。その後、仮止めローラ３２を図７の位置に戻して、移動体４０を本体２０から引き出し、シート状部材６２が圧縮収納されたシート状部材収納袋６０を取り出して所定場所に廃棄する。
【産業上の利用可能性】
【００２６】
本発明のゴミ圧縮機は、主に移動体と本体で構成されるので、シンプルな構造で工事現場に容易に持ち運べる。
【符号の説明】
【００２７】
１０  ゴミ圧縮機
２０  本体
２２  底辺部
２４  脚部
２６  水平部
３６  押下棒
４０  移動体
４４  回転テーブル
４６  枠
５２  固定枠
５４  固定具
６０  シート状部材収納袋
６２  シート状部材
１００  板状部材
【図１】
2011140029.tif 000003
【図２】
2011140029.tif 000004
【図３】
2011140029.tif 000005
【図４】
2011140029.tif 000006
【図５】
2011140029.tif 000007
【図６】
2011140029.tif 000008
【図７】
2011140029.tif 000009
【図８】
2011140029.tif 000010